(57)【特許請求の範囲】
【請求項１】
ユニット本体内に熱交換器と送風機を収容し、ユニット本体内に室内空気を吸込んで上記熱交換器と熱交換させ、上記送風機を介して室内へ吹出す空気調和機の室内ユニットにおいて、
上記送風機の送風路中の吹出し口近傍で、かつその上面壁に取付けられ、マイナスイオンを発生して室内へ供給するマイナスイオン発生装置を配置し、
このマイナスイオン発生装置は、
保護用容器内に収容され送風路中に露出する発生電極および、この発生電極とは離間した位置にアース部を備え、
上記発生電極は、高電圧が印加される電極板と、この電極板に一体成形されるとともに電極板の送風下流側に配置され、送風路の送風方向と平行で、かつこの先端が送風下流側に向くように互いに並行して配置される複数の針状電極からなり、
上記保護用容器は、その表面が帯電防止処理され、
さらに上記保護用容器は、上記各針状電極の先端と対向部位で、かつ送風路の送風方向に沿って開口するスリットと、上記発生電極の送風風下側に発生電極に対してアーク放電が発生しない距離を存し、発生電極の先端延長線上から外れた位置の表面に一体に設けられるボス部を備え、
上記ボス部の上下両端に亘って下孔が貫通して設けられ、このボス部の上端から下孔に、下孔の全長よりも短い長さの取付け具が取付けられ、取付け具頭部とボス部上端面との間にアース線を接続するアース端子が介在され、
上記アース部は、上記ボス部に上記取付け具を介して上記アース線を接続してなる
ことを特徴とする空気調和機の室内ユニット。
【発明の詳細な説明】
【０００１】
【発明の属する技術分野】
本発明は、室外ユニットと室内ユニットから構成される空気調和機における、室内ユニットに関する。
【０００２】
【従来の技術】
空気調和機の室内ユニットは、ユニット本体内に熱交換器と送風機を収容し、送風機の作動によりユニット本体内に室内空気を吸込んで上記熱交換器を通過させて熱交換し、さらに送風機を介して室内へ吹出す。
【０００３】
一方、実開昭６２−１２４４２１号や特開平１１−７２２４０号には、マイナスイオン発生器を組み込んだ空気調和機が開示されていて、室内にマイナスイオンを直接、もしくは熱交換した空気とともに供給する。このマイナスイオンは、人体に吸収されることによって細胞組織の活性化を図り、老廃物の排出を促進して新陳代謝を良好化することが知られている。
【０００４】
【発明が解決しようとする課題】
しかしながら、上記公報ではマイナスイオン発生器の電極部を送風路の近傍もしくは送風路中に配置することのみしか記載されておらず、その詳細は不明である。
【０００５】
たとえば、電極部を送風機ファンの近傍に配置すると、電極部から放出されたマイナスイオンが周囲の構造物に吸収されてしまい、その発生量にバラツキが生じて不安定となる。
【０００６】
また、電極部との電位差を大きくとるため装置をアースすることが考えられるが、電極部とアース端子との距離を近接して火花放電させると、マイナスイオンの発生量が増大する反面、人体に有害なオゾンの発生がみられる。
【０００７】
また、風速のない送風路以外の部位に電極部を配置すると、マイナスイオンの発生量が少なく、これを補うには出力電圧を極端に高くする必要があり、ランニングコストの増大に繋がる。
【０００８】
本発明は上記事情に着目してなされたものであり、その目的とするところは、熱交換器と送風機の他にマイナスイオン発生手段を備えることを前提として、室内空気の熱交換作用とともに効率のよいマイナスイオン供給が行える空気調和機の室内ユニットを提供しようとするものである。
【０００９】
【課題を解決するための手段】
上記目的を満足するため本発明は、ユニット本体内に熱交換器と送風機を収容し、ユニット本体内に室内空気を吸込んで上記熱交換器と熱交換させ、上記送風機を介して室内へ吹出す空気調和機の室内ユニットにおいて、上記送風機の吹出し送風路の吹出し口近傍で、かつその上面壁に取付けられマイナスイオンを発生して室内へ供給するマイナスイオン発生装置を配置し、このマイナスイオン発生装置は、保護用容器内に収容され送風路中に露出する発生電極および発生電極とは離間した位置にアース部を備え、発生電極は、高電圧が印加される電極板と、この電極板に一体成形されるとともに電極板の送風下流側に配置され送風路の送風方向と平行で先端が送風下側に向くように互いに並行して配置される複数の針状電極からなり、保護用容器の表面が帯電防止処理され、さらに各針状電極の先端と対向部位で送風路の送風方向に沿って開口するスリットと、発生電極の送風風下側に発生電極に対してアーク放電が発生しない距離を存し発生電極の先端延長線上から外れた位置の表面に一体に設けられるボス部を備え、ボス部の上下両端に亘って下孔が貫通して設けられ、ボス部の上端から下孔に下孔の全長よりも短い長さの取付け具が取付けられ、取付け具頭部とボス部上端面との間にアース線を接続するアース端子が介在され、アース部はボス部に取付け具を介してアース線を接続してなる。
【００２１】
以上の課題を解決する手段を採用することにより、効率のよい空気調和作用およびマイナスイオン供給が行える。
【００２２】
【発明の実施の形態】
以下、図面を参照して本発明の実施の形態について説明する。
図１に示すように、空気調和機の室内ユニットが構成される。
ユニット本体１は、前面パネル２と、上面パネル３と、両側部と背面部および底面部を一体に備えた後板４とからなり、横長の箱状に形成される。
【００２３】
ユニット本体１内には、側面視で略逆Ｖ字状に形成される室内熱交換器５が配置される。この室内熱交換器５は、前面側に位置する前側熱交換器部５ａと、背面側に位置する後側熱交換器部５ｂとから構成され、特に、後側熱交換器部５ｂの上面に沿って補助熱交換器５ｃが配置され、これらはパイプを介して直列に接続される。
【００２４】
前側熱交換器部５ａの下部には前ドレンパン６ａが配置され、後側熱交換器部５ｂの下部には後ドレンパン６ｂが配置される。これら前，後ドレンパン６ａ，６ｂは、上記後板４に一体に設けられる。
【００２５】
上記室内熱交換器５の内部位置である前側熱交換器部５ａと後側熱交換器部５ｂとの間に、横流ファンを備えた室内送風機７が配置される。上記後板４は、後ドレンパン６ｂ下部である室内送風機７の背面側から底面部に亘って曲成され、上記前ドレンパン６ａ下面部およびその延長部分との間に送風路８が形成されている。
【００２６】
この送風路８の先端をなす前面パネル２の下部で、かつ幅方向に沿って吹出し口９が設けられる。この吹出し口９にはそれぞれ複数枚の縦・横ルーバーの組合わせからなり、吹出し口９からの風向きを自動的に変える風向案内部１０が設けられる。
【００２７】
一方、上記上面パネル３には、枠状に組まれた桟が嵌め込まれていて、この空間部は上部吸込み口１１として形成される。上記前面パネル２は、上部側と下部側の二段に亘って異なる構造の前部吸込み口１２ａ，１２ｂが設けられ、上端縁に沿って図示しないヒンジ構造を備えユニット本体１に対して開閉自在な吸込みグリルをなす。この前面パネル２は、室内熱交換器５の前側熱交換器部５ａと所定の間隙を存するように、断面がＲ状に形成されている。
【００２８】
上記前面パネル２の前部吸込み口１２ａと対向する前側熱交換器部５ａの前面側上部と近接した位置に、空気清浄手段である空気清浄機１３が配置される。すなわち、空気清浄機１３は前側熱交換器部５ａと前面パネル２との間の空間スペースに位置する。
【００２９】
この空気清浄機１３は、室内の塵・埃・水蒸気の除去を目的とした電気集塵機１３Ａと、室内の臭いの除去を目的とした図示しないハニカム活性炭構造の高性能脱臭フィルタとで構成され、互いに上記部位に左右に並べて配置される。
【００３０】
上記電気集塵機１３Ａについて詳述すると、図２（Ａ）に示すように、プラス電位の荷電電極（アイオナイザ部）１４と、マイナス電位の集塵電極（コレクタ部）１５とから構成されている。
【００３１】
上記荷電電極１４は、イオン化線と呼ばれる放電電極１４ａと対向電極１４ｂとの間に直流の高電圧を印加してコロナ放電を起させ、塵・埃の粒子をイオン化する。上記集塵電極１５は、片面側に導電極を設けたシート１５ａを積層し、交互に＋−の電荷を与えてシート間に発生するクーロン力でイオン化された塵・埃を吸引し、集塵するコルゲート電極である。
【００３２】
また、このような集塵作用にともなって各電極１４，１５からある程度の放熱があり、塵・埃とともに空気中に含まれる水蒸気は電気集塵機１３Ａを通過する際に蒸発することになる。
【００３３】
再び図１に示すように、上記電気集塵機１３Ａの下部側に把手部ａが一体に設けられていて、ユーザー側において前面パネル２を開放することにより自由にユニット本体１から脱着可能であり、特に集塵電極１５に付着した塵・埃を除去するメンテナンスができるようになっている。
【００３４】
さらに、上記電気集塵機１３Ａの把手部ａと、前側熱交換器部５ａの下部側前面および前面パネル２とで囲まれる空間部に、脱着自在にフィルタ１６が取付けられていていて、付着した塵・埃を除去するメンテナンスができるようになっている。
【００３５】
一方、上記送風路８にはマイナスイオン発生手段であるマイナスイオン発生装置１７が配置される。このマイナスイオン発生装置１７は、電気集塵機１３Ａを通過した空気が通る上記送風路８の前ドレンパン６ａ下面部よりも吹出し口９側に延長される部分で、かつ吹出し口９の一側部に設けられている。
【００３６】
再び図２(Ａ)に示すように、マイナスイオン発生装置１７の基本構成は、高電圧が印加される電極板２０および、この電極板２０の側面に一体に突設され先端からマイナスイオンを放射する針状電極２１とで構成されるマイナスイオン発生電極２２と、この発生電極２２を収容しかつ保護する保護用容器２３（一点鎖線で示す）からなる。
【００３７】
なお、マイナスイオン発生装置１７において、より多量のマイナスイオンを放射させるためには、針状電極２１先端と、先端周辺との電位差を大きくとる必要がある。そこで、保護用容器２３の針状電極２１先端近傍部位に、後述するようにアース部Ｅを設け、保護用容器２３を取付けねじ２４とアース線２５を介して接地して、針状電極２１先端との電位差を確保している。
【００３８】
たとえば、このマイナスイオン発生装置１７を先に説明した室内送風機７のごく近傍部位に配置すると、放出されたマイナスイオンは送風路８を形成するノーズやケーシングに吸収されてしまい、室内空間への放出量が大幅に減少する。そのため、発生装置１７を吹出し口９に配置し、風向案内部１０の縦横ルーバー間を介して放射させている。
【００３９】
また、電極板２０から突出する針状電極２１は、先端を送風路８の送風上流側から下流側に向けて配置され、アース端子２４は針状電極２１の下流側に取付けられる。
【００４０】
たとえば、図２（Ｂ）に示すように、針状電極２１先端の向きを逆にし、これと対向してアース端子２４を送風上流側に取付けると、針状電極２１先端から放射されるマイナスイオンは送風に載ってほとんど電極板２０に吸収されてしまい室内空間への放出量が低下するので、この構成は採用されない。
【００４１】
さらに上記マイナスイオン発生装置１７の具体的な構成を、図３ないし図５にもとづいて説明する。
このマイナスイオン発生装置１７は、上記発生電極２２が保護用容器２３内に収容されてなる。上記保護用容器２３は図において上面が開口するとともに、この開口縁に沿って鍔部２３ａが一体に設けられてほぼ矩形箱状をなし、全表面には所定の帯電防止処理が施されている。左右の鍔部２３ａには引掛け爪２３ｂが一体に設けられていて、先に説明した取付け部位にワンタッチで着脱できるようになっている。
【００４２】
上記アース部Ｅは、保護用容器２３の前面側の中央部に設けられる。すなわち、鍔部２３ａ中央には、この上面から容器の側壁中間部に亘ってボス部２３ｃが一体に設けられる。ボス部２３ｃの上端から下端に亘って下孔２７が貫通して設けられ、この上部から上記取付けねじ２４が螺挿される。取付けねじ２４の頭部と保護用容器２３上端面との間にアース端子２８が介在固定され、このアース端子２８に上記アース線２５が接続されている。
【００４３】
上記取付けねじ２４の全長はボス部２３ｃの全長よりも短いものが選択されており、したがって取付けねじ２４の下端はボス部２３ｃ下端からは突出しない。さらに、保護用容器２３には一対のスリット３０，３０が開口される。これらスリット３０は保護用容器２３の上記ボス部２３ｃの左右に位置し、かつ下面全部と前後面の一部に亘って設けられていて、互いに並行している。
【００４４】
上記保護用容器２３のたとえば底部から支持脚３１が一体に立設されていて、上端から高電圧回路接続端子３３を支持脚３１に取付け固定する取付けねじ３４が螺挿される。
【００４５】
上記高電圧回路接続端子３３から高電圧リード線３２が延出されていて、これは、ユニット本体１の一側部に設けられる電装部品箱３５内の高電圧回路に電気的に接続される。また、上記高電圧回路接続端子３３は左右に延出され、この左右両端部に先に説明した電極板２０が一体に設けられる。
【００４６】
それぞれの電極板２０に上記針状電極２１が突設されるので、針状電極２１は左右一対あって、先端を上記一対のスリット３０に対向している。したがって、２組の電極板２０，２０と針状電極２１，２１からなる発生電極２２が保護用容器２３に収容される。
【００４７】
上記マイナスイオン発生電極２２を収容した保護用容器２３が吹出し口９の所定位置に取付けられることにより、保護用容器２３のスリット３０が送風方向に沿うとともに、一対の針状電極２１は送風方向に平行に向き、かつ先端は下流側である吹出し口９を介して室内空間に向く。針状電極２１が突設される電極板２０は、針状電極２１より送風上流側に位置する。
【００４８】
保護用容器２３に設けられる上記アース部Ｅは、マイナスイオン発生電極２２とは離間した位置にある。そして、アース部Ｅはマイナスイオン発生電極２２に対してアーク放電が発生しない距離（たとえば、−５０００Ｖで約５ｍｍ）だけ離間している。しかも、アース部Ｅはマイナスイオン発生電極２２の先端延長線上から外れた位置にあり、かつ送風風下側に設けられる。
【００４９】
なお、特に図１および図５に示すように、マイナスイオン発生装置１７が取付けられる送風口９の上面壁端部で、この発生装置１７と対向する部位には、複数の突条からなるガード部４０が設けられていて、吹出し口９からマイナスイオン発生装置１７を遮蔽し、かつ異物の挿入を阻止している。
【００５０】
このようにして構成される空気調和機の室内ユニットであり、図示しないリモコンの運転開始ボタンが押されると、室内熱交換器５に対する冷凍サイクル運転と、室内送風機７の駆動が開始される。
【００５１】
室内空気は、ユニット本体１の前面パネル（吸込みグリル）２と上面パネル３の吸込み口１２ａ，１２ｂ，１１からユニット本体１内に吸込まれる。特に、前部吸込み口１２ａから吸込まれる室内空気は直接的に電気集塵機１３Ａを通過し、室内空気に含まれる塵・埃・水蒸気が捕捉されて清浄化する。
【００５２】
清浄化した空気は室内熱交換器５に導かれて熱交換をなし、さらに室内送風機７を介して送風路８に案内され、吹出し口９から室内空間に吹出される。同時に、吹出し口９に設けられるマイナスイオン発生装置１７が作用してマイナスイオンが放射され、室内空間に供給される。
【００５３】
吹出し口９から吹出される熱交換した清浄空気には、マイナスイオンを減衰する塵・埃・水蒸気が全く存在しないところから、発生装置１７から放射されるマイナスイオンは減衰することなく、そのまま室内に供給される。
【００５４】
このようにして、室内空気は以上の経路を循環し、室内ユニット内において電気集塵機１３Ａと、室内熱交換器５と、マイナスイオン発生装置１７に導かれることによって空気清浄化と、所望の空気調和と、人体に好影響を与えるマイナスイオンの供給が、ともに効率よくなされる。
【００５５】
また、上記マイナスイオン発生装置１７は、保護用容器２３内に発生電極２２を収容してなるから、発生電極２２の取付け位置が固定化される。そして、保護用容器２３を送風路８の所定部位に取付けることで発生電極２２の設置が行えるため、装着性がよい。
【００５６】
また、発生電極２２は、電極板２０および針状電極２１からなり、この針状電極２１は送風路８の送風方向と平行で、先端が送風下流側に向くように保護用容器２３内に収容したから、針状電極２１は送風方向に向かってマイナスイオンを放射し、このマイナスイオンは熱交換された風に載って室内に送られることになり、効果的に供給される。
【００５７】
また、ここでは一対の針状電極２１、２１が互いに並行して配置されるから、各針状電極２１から同時にマイナスイオンが放射されて、常に多量のマイナスイオンが室内に供給される。
【００５８】
また、針状電極２１は電極板２０と一体化されるから、針状電極２１を保護用容器２３内に確実に固定でき、しかも電極板２０は針状電極２１の送風上流側に配置されるから、この電極板２０の位置設定からマイナスイオンの発生に何らの影響も与えずにすむ。
【００５９】
また、保護用容器２３に開口するスリット３０は針状電極２１の先端と対向する部位で、かつ送風路８の送風方向に沿って設けられるから、発生電極２２を収容する保護用容器２３内はスリット３０を介して送風路８と連通する。したがって、送風される空気がスリット３０を介して発生電極２２の周辺に送られ、保護用容器２３内外での温度差ができず、容器２３内や発生電極２２での露付き発生を確実に防止する。
【００６０】
また、保護用容器２３に設けられるアース部Ｅは、保護用容器２３内に収容される発生電極２２とは離間した位置に設けられる。すなわち、保護用容器２３の表面がマイナスイオンに帯電されると、発生電極２２と周囲との間の電位差が減少して、マイナスイオン放射の減少に繋がる。そのため、保護用容器２３表面の帯電をアース部Ｅから逃がすことで、常に発生電極２２と周囲との電位差を確保し、マイナスイオンが発生し易い条件を整えられる。
【００６１】
その一方で、アース部Ｅを発生電極２２に接近し過ぎた位置に備えると、アーク放電を生じて火花が発生し危険であるとともに、人体に有害なオゾンが発生する。そこで、アース部Ｅを発生電極２２から離間した位置に設けて保護用容器２３表面の帯電を放出させ、マイナスイオンの放射を安定させる。
【００６２】
また、保護用容器２３のアース部Ｅは、マイナスイオン発生電極２２に対してアーク放電が発生しない距離だけ離間して設けられる。したがって、アーク放電にともなう火花の発生がなく、かつ互いに近接した状態で、発生電極２２との電位差を大きくとることができマイナスイオンの多量放射を得られる。
【００６３】
また、上記保護用容器２３のアース部Ｅは、上記マイナスイオン発生電極２２の先端延長線上から外れた位置に設けられるから、針状電極２１先端から放射されるマイナスイオンがアース部Ｅに送られて放電されるのを防止でき、室内への放射を効率的に行える。
【００６４】
また、保護用容器２３のアース部Ｅは、マイナスイオン発生電極２２の送風風下側に設けられる。すなわち、針状電極２１先端から放射されるマイナスイオンは、アース部Ｅの付近が最も電位差があって放射効果を高めることができ、これを風下側に設けることでマイナスイオンの発生量を増加させ、かつ室内への放射が効率よく行われる。
【００６５】
また、保護用容器２３のアース部Ｅは、この保護用容器２３の表面に一体に設けられるボス部２３ｃに取付けねじ２４を介してアース線２５を接続してなるから、ボス部２３ｃは保護用容器２３と一体であり、ここにねじ２４を取付けることで確実にアースを取ることができる。
【００６６】
また、上記ボス部２３ｃには下孔２７が貫通して設けられ、この下孔２７にボス部２３ｃよりも短い長さの取付けねじ２４を取付け、アース線２５を接続したから、発生電極２２と取付けねじ２４との間で異常放電することがない。しかも、発生電極２２は下孔２７内の取付けねじ２４先端の影響を受けてマイナスイオンの発生量が増加し、ボス部２３ｃ方向である吹出し口９に向けて効率よく放射する。
【００６７】
また、上記保護用容器２３の全表面が帯電防止処理されているから、保護用容器２３の帯電が防止されて常に発生電極２２と周囲との電位差が確保され、マイナスイオンが発生し易い条件が整えられ、マイナスイオンを安定的に放射させることができる。
【００６８】
また、上記保護用容器２３は送風路８を形成する吹出し口９近傍の上面壁に発生電極２２が送風路８に露出するように装着したから、保護用容器２３の取付けが確実で、かつマイナスイオンの室内への供給が確実に行われる。
【００７０】
【発明の効果】
以上説明したように本発明によれば、熱交換器と送風機の他にマイナスイオン発生手段を備えることを前提として、室内空気の熱交換作用とともに効率のよいマイナスイオン供給が行えるなどの効果を奏する。
【図面の簡単な説明】
【図１】本発明の一実施の形態に係わる、空気調和機の室内ユニットの断面図。
【図２】同実施の形態に係わる、空気調和機の室内ユニットの内部に収容する構成部品とその作用を説明する図と、採用しない構成を説明する図。
【図３】同実施の形態に係わる、マイナスイオン発生装置の斜視図。
【図４】同実施の形態に係わる、マイナスイオン発生装置の断面図。
【図５】同実施の形態に係わる、マイナスイオン発生装置とその周辺部の上面図。
【符号の説明】
１…ユニット本体、
５…室内熱交換器、
７…室内送風機、
１７…マイナスイオン発生装置、
２３…保護用容器、
２２…発生電極、
２０…電極板、
２１…針状電極、
３０…スリット、
Ｅ…アース部、
２３ｃ…ボス部、
２４…取付け具（取付けねじ）、
２５…アース線、
２８…アース端子。
【図１】
0004323019.tif 000002
【図２】
0004323019.tif 000003
【図３】
0004323019.tif 000004
【図４】
0004323019.tif 000005
【図５】
0004323019.tif 000006